(57)【要約】【課題】  しかしながら、絞り込み表示を行っている状態で、既に選択した画像を確認する場合、選択済みの画像が現在の絞り込み条件を満たさない場合があり、この場合は、選択済みの画像を表示することが出来ないといった問題があった。【解決手段】  絞り込み表示中に、既に選択した画像を表示するための操作がされた場合は、表示しようとする画像が現在の絞り込み条件を満たしているかを判断し、みたしていないと判断された場合は、絞り込みを自動的に解除して通常表示モードにして、選択済みの画像を表示する。【選択図】  図７
2011039935.tif 000002
【特許請求の範囲】
【請求項１】
記録媒体に記録されている画像を表示する表示手段と、
前記記録媒体に記録されている複数の画像の中から、複数の画像を選択する選択手段と、
前記選択手段による画像の選択中に、ユーザからの選択済み画像表示の指示を受付けたこと応じて、前記選択手段により既に選択された画像を前記表示手段に表示するための選択済み画像表示手段と、
前記選択手段による画像の選択中に、前記記録媒体に記録されている複数の画像の中から、所定の条件を満たす画像を前記表示手段に表示させる絞り込み表示を行うための絞り込み表示手段と、
前記絞り込み表示手段による絞り込み表示中に、選択済み画像表示が指示された場合に、当該選択済み画像表示の指示に応じて表示すべき画像が、前記所定の条件を満たしているか否かを判定する判定手段とを有し、
前記選択済み画像表示手段は、前記判定手段により、前記選択済み画像表示の指示に応じて表示すべき画像が、前記所定の条件を満たしていないと判定された場合は、前記絞り込み表示手段による絞り込み表示を解除して、前記選択手段により既に選択された画像を表示することを特徴とする表示制御装置。
【請求項２】
ユーザの絞り込み解除の指示に応じて、前記絞り込み表示手段による絞り込み表示を解除する絞り込み解除手段とを有し、
前記選択済み画像表示手段は、前記判定手段により、前記選択済み画像表示の指示に応じて表示すべき画像が前記所定の条件を満たしていないと判定された場合は、ユーザにより前記絞り込み解除の指示が入力されなくても、自動的に絞り込み表示を解除することを特徴とする請求項１に記載の表示制御装置。
【請求項３】
前記選択手段は、前記記録媒体に記録されている複数の画像の中から、複数の印刷対象の画像を選択し、印刷レイアウトに対応させて画像を選択可能であることを特徴とする請求項１または２に記載の表示制御装置。
【請求項４】
前記絞り込み表示手段は、ユーザからの絞り込み表示の指示に応じて、撮影日時または作成日時が同じ日にちである画像のみを前記表示手段に表示させることを特徴とする請求項１ないし３のいずれか１項に記載の表示制御装置。
【請求項５】
前記選択手段により、画像が既に選択されているかを判定する第２の判定手段を有し、
前記第２の判定手段により画像が選択されていると判断された場合に、前記選択済み画像表示手段により、選択済みの画像を表示させることを特徴とする請求項１ないし４のいずれか１項に記載の表示制御装置。
【発明の詳細な説明】
【技術分野】
【０００１】
本発明は、画像を表示するための表示制御装置に関する。
【背景技術】
【０００２】
近年デジタルカメラをはじめとする携帯端末用の記録媒体としてよく用いられるメモリカードの大容量化が進み、多くのユーザが大量の画像を手軽に持ち運ぶことが出来るようになった。大量の画像の中から所望の画像を探索する場合、日付などの条件を用いて絞り込み表示を行うことで、ユーザによる画像の探索時間を短くする手段が広く知られている。（例えば、特許文献１）
【先行技術文献】
【特許文献】
【０００３】
【特許文献１】特開２００１−２２９１７６号公報
【発明の概要】
【発明が解決しようとする課題】
【０００４】
しかしながら、絞り込み表示を行っている状態で、既に選択した画像を確認する場合、選択済みの画像が現在の絞り込み条件を満たさない場合があり、この場合は、選択済みの画像を表示することが出来ないといった問題があった。
【０００５】
本発明は上述の課題を解決するため、複数の画像を選択・確認する際に操作性がよい表示制御装置が提供できる。な情報処理装置を提供することを目的とする。
【課題を解決するための手段】
【０００６】
上述の課題を解決するため、本発明の表示制御装置は、記録媒体に記録されている画像を表示する表示手段と、記録媒体に記録されている複数の画像の中から、複数の画像を選択する選択手段と、選択手段による画像の選択中に、ユーザからの選択済み画像表示の指示を受付けたこと応じて、選択手段により既に選択された画像を表示手段に表示するための選択済み画像表示手段と、選択手段による画像の選択中に、記録媒体に記録されている複数の画像の中から、所定の条件を満たす画像を表示手段に表示させる絞り込み表示を行うための絞り込み表示手段と、絞り込み表示手段による絞り込み表示中に、選択済み画像表示が指示された場合に、当該選択済み画像表示の指示に応じて表示すべき画像が、所定の条件を満たしているか否かを判定する判定手段とを有し、選択済み画像表示手段は、判定手段により、選択済み画像表示の指示に応じて表示すべき画像が、所定の条件を満たしていないと判定された場合は、絞り込み表示手段による絞り込み表示を解除して、選択手段により既に選択された画像を表示することを特徴とする。
【発明の効果】
【０００７】
本発明によれば複数の画像を選択・確認する際に操作性がよい表示制御装置が提供できる。
【図面の簡単な説明】
【０００８】
【図１】本発明に係る印刷装置の構成を表すブロック図である。
【図２】本発明に係る印刷装置の操作部である。
【図３】本発明に係る印刷装置のマルチレイアウト設定画面の一例である。
【図４】本発明に係る印刷装置の編集メニューを表示した画面の一例である。
【図５】本発明に係る印刷装置のマルチレイアウト設定画面の一例である。
【図６】本発明に係る印刷装置の処理の流れを示すフローチャートである。
【図７】本発明に係る印刷装置の画像印刷領域選択処理の流れを示すフローチャートである。
【図８】本発明に係る印刷装置の画像選択解除処理の流れを示すフローチャートである。
【発明を実施するための形態】
【０００９】
以下に、本発明を実施するための最良の形態について詳細に説明する。
【００１０】
尚、以下に説明する実施の形態は、本発明の実現手段としての一例であり、本発明が適用される装置の構成や各種条件によって適宜修正又は変更されるべきものであり、本発明は以下の実施の形態に限定されるものではない。
【００１１】
本実施形態の印刷装置は、メモリカード等の記録媒体、デジタルカメラ、ＰＣ等から取得した画像を印刷する際に、レイアウトを指定して印刷することが可能となっている。さらに、複数の画像印刷領域が配置された定型のレイアウトにおいて、任意の画像をそれぞれの画像印刷領域に割り当てて設定可能な、マルチレイアウトプリント機能を有している。さらに、マルチレイアウトプリントでは、レイアウト中の画像印刷領域を指定して、その画像印刷領域に配置する印刷画像の設定が可能となっている。
【００１２】
図面を用いて本実施形態の印刷装置について説明する。
図１は本発明による印刷装置の構成を表すブロック図である。
バス１０１は各ブロックを接続するバスで、ブロック間のデータのやり取りはバスを通して行われる。
【００１３】
メモリカード１０２はリムーバブルメモリ等の記録媒体で、印刷装置に着脱可能であり、メモリカード１０２には複数の画像データが記録されている。
ＩＯ制御部１０３は、メモリカード１０２へのデータの読み書きを制御している。メモリカード１０２はバス１０１に直接接続できないのでＩＯ制御部１０３を通して各ブロックとデータのやり取りを行う。
【００１４】
レイアウト選択部１０４は、複数の印刷レイアウトを保持し、要求に応じて個別の印刷レイアウトのデータを供給する。印刷レイアウトはカードサイズ／Ｌサイズ／はがきサイズの各サイズについてそれぞれ複数のレイアウトパターンがある。
【００１５】
アイコン表示部１０５は、画面に表示する各種アイコンデータを保持し、要求に応じてアイコンデータを表示制御部１０８に送信し、アイコンイメージを画面に表示する。
【００１６】
画像再生部１０６は、ＩＯ制御部１０３を通してメモリカード１０２に保持されている画像データを読み出し、デコード処理をおこなって表示できる形式にデータ変換した後に、表示画面に画像を表示するため表示制御部１０８にデータを送信する。
【００１７】
表示画像選択部１０７は、ＩＯ制御部１０３を通してメモリカード１０２にアクセスし、メモリカードに記録されている画像の一覧を作成して保持する。このときメモリカード１０２に記録されている各画像に対してユニークな識別番号（以下画像ＩＤ）を付加し、表示画像選択部１０７においては、画像はこの画像ＩＤによって管理識別される。
【００１８】
表示制御部１０８は各ブロックからの表示要求に応答して、ＬＣＤ２０７に表示する表示画面データを作成し、ＬＣＤに表示画面を表示させるための制御を行う。
【００１９】
データ保持部１０９は、各種データを一時的に保持する。各処理をおこなう上での作業用領域として使用される。
印刷データ生成部１１０は、印刷要求に応答して、設定された印刷条件に基づいて、印刷用のデータを生成する。詳しくは、印刷対象の画像データを読み出し、設定されたレイアウトに基づいて、読み出した印刷対象の画像データを印刷データに変換する。印刷データはイエロー（Ｙ）、マゼンタ（Ｍ）、シアン（Ｃ）の３色から構成され用紙一枚分のサイズのＹ／Ｍ／Ｃ各色のデータを順次作成し、色ごとに印刷部１１１へデータを送信する。
【００２０】
印刷部１１１は印刷データ生成部１１０からのＹ／Ｍ／Ｃ各色の印刷データを受信し、印刷用紙に画像の印刷をおこなう。
レイアウト生成部１１２は印刷データ生成部１１０が印刷データを生成するのに必要なデータ群を作成する。指定された印刷レイアウトデータをレイアウト選択部１０４から取得し、そのレイアウトの画像印刷領域に対して、それぞれ指定された画像を印刷領域に配置してデータを生成する。
【００２１】
印刷画像選択部１１３はユーザによって指定された画像の画像ＩＤを領域選択部１１４で指定された画像印刷領域と関連づけて保持しておく。
領域選択部１１４はユーザによって指定された印刷レイアウトの画像印刷領域を保持しておく。
ＧＵＩ制御部１１５はユーザによるＧＵＩ操作部１１６のボタン操作を判定する。状況によりボタン操作の意味は変わってくるために状況に応じてボタン操作の意味を解釈し、必要な指示を各ブロックに対して発行する。
ＧＵＩ操作部１１６は図２に示すような操作部材および表示装置（ＬＣＤ２０７）から構成されている。操作内容はＧＵＩ制御部１１５に送られ、解釈される。
【００２２】
また、これらの各ブロックは、印刷装置全体の制御を司るＣＰＵ（不図示）によって制御される。ＣＰＵはプログラムメモリ（不図示）からプログラムコードを読み出し、プログラムに基づいて各ブロックの制御や演算処理を行って、後述の動作を実現する。
【００２３】
図２は本発明による印刷装置の操作部である。
操作パネル２０１上に各操作部材と表示装置（ＬＣＤ）が配置されている。２０２は電源ボタンで本システムの電源の入切に使用される。２０３はＣＲＥＡＴＩＶＥボタンで印刷機能の選択に使用される。２０４はＥＤＩＴボタンでトリミング印刷や印刷設定の変更に使用される。２０５はＤＩＳＰボタンで画面表示の切り替えに使用される。２０６はＭＥＮＵボタンでメニューの表示に使用される。２０７は表示装置（ＬＣＤ）で、画像の表示、各種アイコンの表示、印刷設定の表示などに使用される。２０８は拡大ボタンで表示画像を拡大したり、表示モードの切り替えに使用される。２０９は縮小ボタンで拡大再生中の画像の拡大率を下げたり表示モードの切り替えに使用される。２１０は＋ボタンで、印刷枚数を増やすために使用される。２１１は−ボタンで、印刷枚数を減らすために使用される。２１２はトリミング枠の移動、画像拡大表示中のビュー移動に使用される。
【００２４】
２１３は左ボタンで表示画像を１つ前に戻したり、トリミング枠の移動、画像拡大表示中のビュー移動に使用される。２１４はトリミング枠の移動、画像拡大表示中のビュー移動に使用される。２１５は右ボタンで表示画像を１つ先に進めたり、トリミング枠の移動、画像拡大表示中のビュー移動に使用される。２１６はＳＥＴボタンで各種選択項目の決定、次画面への切り替えなどに使用される。２１７は時計回り／反時計回り両方向に回転可能なホイールで次の画像を表示したり、前の画像を表示するために使用される。２１８は戻るボタンで、前の画面に戻るために使用される。２１９はＰＲＩＮＴボタンでプリントの開始に使用される。
【００２５】
図３（ａ）はマルチレイアウト設定画面（シングル表示）である。
３０１は表示装置のＬＣＤであり、図１の各ブロックからの指示に応じて表示制御部１０８が表示画面データを作成し、ＬＣＤに表示させている。
マルチレイアウト設定画面では、メモリカード１０２から読み出した画像が画像表示領域３０２の枠内に表示される。３０３は画像戻しガイダンスアイコン、３０４は画像送りガイダンスアイコンで、アイコン表示部１０５から読み出したアイコンデータが表示されている。画像戻しガイダンスアイコン３０３に対応する左ボタン２１３を押すことにより画像表示領域３０２に表示される画像を１つ前のものに戻すことができる。また、画像送りガイダンスアイコン３０４に対応する右ボタン２１３を押すことにより画像表示領域３０２に表示される画像を１つ先のものに送ることができることを示している。このとき、画像表示領域３０２に表示される画像は、表示画像選択部１０７によって決定される。通常は、左右ボタン２１３，２１５の押下に応じて、メモリカードに保持されている画像が撮影日時順で表示される。
【００２６】
３０５は印刷レイアウト表示領域であり、ユーザにより選択された印刷レイアウトが表示される。図３（ａ）では１枚の用紙に４つの画像を配置した４ｕｐのレイアウトを表示している。予めユーザによって指定されたレイアウトをレイアウト選択部１０４から読み出し、指定されたレイアウトが印刷レイアウト表示領域に表示される。３０６は印刷レイアウト内の画像印刷領域である。この領域に画像が配置されて印刷されることを示している。図３（ａ）では、４つの画像を配置するレイアウトが選択されているため、印刷レイアウト内の画像印刷領域も４つ用意されている。また、印刷レイアウト内の４つのの画像印刷領域３０６それぞれに画像印刷領域番号に対応する数字が表示されている。画像印刷領域番号により、レイアウト中の画像印刷領域を区別している。３０７は印刷レイアウト内の画像印刷領域３０７のうち、すでに画像が割り当てられている画像印刷領域を区別するために他の画像印刷領域とは異なる色で表示している。３０８は印刷レイアウト内の画像印刷領域のうち現在選択されている画像印刷領域を示す枠である。ユーザは、現在選択されている印刷レイアウト内の画像印刷領域に対して、画像表示領域３０２で画像を選択し、印刷する画像の割り当てを行う。
【００２７】
３０９は、ＤＩＳＰガイダンスアイコンで、ＤＩＳＰボタン２０５を押すと選択される画像印刷領域が切り替わることを示している。選択画像印刷領域の切り替えは、画像印刷領域番号順に切り替わる。つまり、図３（ａ）の状態でＤＩＳＰボタン２０５が操作されると画像印刷領域の選択が画像印刷領域２から画像印刷領域３に切り替わり、選択枠３０８も画像印刷領域２から画像印刷領域３に移動する。また、切り替わった画像印刷領域に画像が割り当てられている場合は、画像表示領域３０２の表示も共に切り替え、割り当てられている画像を表示させる。従って、ＤＩＳＰボタンを押すことで、画像印刷領域に割り当てられている画像を確認することが可能である。３１０は３０２画像表示領域に表示中の画像が印刷レイアウト中の画像印刷領域に割り当てられている画像であるかどうかを示す数字表示部である。数字が表示されていれば現在表示中の画像が画像印刷領域に割り当てられていることを示す。また、この数字は、表示中の画像どの画像印刷領域に割り当てられているかを示しており、画像表示領域３０２に表示中の画像は、数字表示部の数字に対応する印刷レイアウト中の画像印刷領域に割り当てられていることを示している。つまり、図３（ａ）の場合、画像表示領域３０２に表示中の画像は、数字表示部３１０に「１」と表示されているので、３０５のレイアウト中の「１」と表示されている画像印刷領域（番号１の画像印刷領域）に割り当てられて印刷設定されていることになる。
【００２８】
本実施形態のプリンタでは、印刷レイアウト中のそれぞれの画像印刷領域に番号を付与し、画像印刷領域に割り当てられている画像が画像表示領域に表示された場合には、割り当てられている画像印刷領域に対応する番号を数字表示部３１０に表示させている。
【００２９】
３１１は編集メニューを出すためのＥＤＩＴガイダンスアイコンである。ＥＤＩＴキー２０４を押すことで編集メニューが表示される。詳細については後述する。
【００３０】
３１３は次画面に進むためのＳＥＴガイダンスアイコンである。ＳＥＴキー２１６を押すことで現在設定中のマルチレイアウトの設定で設定が決定され、図３（ａ）に表示中の画面の次の画面に進むことができる。本実施例では、図３（ａ）のＧＵＩ画面の後に表示される、印刷確認画面に進むことができる。３１２は、前画面に戻るための戻るガイダンスアイコンである。戻るキー２１８を押すことで図３（ａ）に表示中の画面の前の画面に戻ることができることを示す。本実施例では、画像印刷領域１から順に画像を割り当てていくので、戻るキー２１８を押下することにより、前に設定された印刷レイアウト中の画像印刷領域への画像の割り当てを１つずつ解除していく画像選択解除を行うことができる。従って、わざわざ画像印刷領域を切り替えて印刷指定の解除を行わなくても、戻るボタンの押下という１つの操作で画像の割り当ての設定を解除できる。また、戻るボタンが押下されると、画像の割り当てを解除すると共に、選択中の画像印刷領域を示すカーソル３０８を割り当てを解除した画像印刷領域に移動して選択中の画像印刷領域を変更し、画像表示領域３０２の画像も解除された画像に切り替えて表示する。このような表示を行うことにより、解除された画像および画像印刷領域を確認することができる。
【００３１】
ガイダンスアイコン３０３、３０４、３０９、３１１、３１２、３１３、また、数字表示部３１０、割り当て済み印刷レイアウト３０７はアイコン表示部１０５から読み出されたアイコンデータや領域である。これらのアイコンやメモリカード１０２から読み出した画像に基づいて表示制御部が表示画面データを作成し、ＬＣＤにＧＵＩ画面を表示させている。
【００３２】
図３（ｂ）は、マルチレイアウト設定画面（マルチ表示）である。
基本的には図３（ａ）のマルチレイアウト設定画面と同様であるが、図３（ｂ）の設定画面では、画像表示領域３０２に複数の画像が表示されている。また、図３（ｂ）では、前のレイアウト設定画面（不図示）で画像が４つ指定できるレイアウトを指定しているため、印刷レイアウト表示部３０５には画像印刷領域３０６が４つある印刷レイアウトが表示されている。
【００３３】
図３（ａ）のような画像表示領域に１つの画像が表示されているシングル表示モードにおいて縮小ボタン２０９を押すことで、図３（ｂ）のような画像表示領域に複数の画像が表示される複数画像表示モードのマルチレイアウト設定画面に切り替えることができる。また、複数画像表示モードのマルチレイアウト設定画面から、拡大ボタン２０８を押すと、シングル表示モードのマルチレイアウト設定画面に切り替えることができる。
複数画像表示モードに切り替えられた場合は、次のようにして画像表示領域に画像を表示させる。
【００３４】
まず、現在フォーカス枠３０７が表示されている画像印刷領域に割り当てられている画像の画像ＩＤを取得する。そして、この画像ＩＤを含む複数の画像ＩＤを画像リストから取得する。
【００３５】
さらに、表示されている複数の画像のうち、現在フォーカスされている画像印刷領域３０７に割り当てられている画像に画像選択枠３１４を付けて表示させ、他の画像と区別して表示させる。画像選択枠３１４は、複数の画像のうち、どの画像が現在選択されているかを示している。
もし、現在選択されている画像印刷領域に画像が割り当てられていない場合は、画像表示モード切り替え前に画像表示領域３０２に表示されていた画像の前後の画像を表示し、切り替え前に表示されていた画像に画像選択枠３１４を表示させる。
【００３６】
図４（ａ）は、編集メニュー画面（シングル表示）である。
図３（ａ）のシングル表示で、ＥＤＩＴボタン２０４を押すと表示される。図３（ｂ）のマルチ表示においても同様にＥＤＩＴボタン２０４を押すと編集メニュー画面（図４（ｂ））が表示される。
【００３７】
編集メニューに表示される項目４０１、４０２、４０３のいずれかにフォーカス枠４０４が表示され、ユーザは上下ボタンを押してフォーカス枠４０４を移動させる。所望の項目にフォーカス枠４０４が表示されている時にＳＥＴボタン２１６を押すと、各項目の画面に遷移する。編集メニューでは、トリミング、印刷の設定、日付絞り込みが選択できる。トリミングを選択すると、トリミング設定画面が表示され現在表示中の画像に対してトリミング設定ができる。印刷の設定を選択すると、印刷の設定変更画面が表示され印刷の設定を変更することができる。日付絞り込みを選択すると、図４（ｃ）のような日付選択画面が表示される。
【００３８】
図４（ｃ）は、日付選択画面である。
日付選択画面では、メモリカードにある画像の日付４０５を順に表示し、表示中の日付４０１のいずれかにフォーカス枠４０６が表示され、ユーザは上下ボタンでフォーカス枠を移動させて日付を選択できる。撮影日時または画像ファイルの作成日時が、日付選択画面で選択された日付と同じものが表示画面に表示される。
【００３９】
左右（２１３、２１５）ボタンが押された場合は、フォーカス枠が表示されている日付の画像を表示する。ＳＥＴボタン２１６が押された場合は、フォーカス枠が表示されて選択された日付の画像だけを表示する日付絞り込み状態になる。
【００４０】
このように、本実施形態の印刷装置では、マルチレイアウトの設定の際に、メモリカードに記録されている画像を全て表示可能な通常表示モードと、所定の条件を満たすもののみを表示する絞り込み表示モードがある。また、マルチレイアウトの設定中に、特定のボタンを押下することで、既に画像印刷領域に割り当てられている選択済みの画像を、設定画面に表示することができる。そのため、絞り込み表示モードで表示している場合に、画像印刷領域に割り当てられている画像を表示する操作がなされた場合に、その操作に応じて表示すべき画像が絞り込みの条件を満たしている場合は問題ないが、満たしていない場合は矛盾が生じてしまう。そこで、本実施形態の印刷装置では以下のような動作を行う。
【００４１】
図５（ａ）は、日付絞り込み状態（シングル表示）でのレイアウト設定画面ある。
５０１は、絞り込んでいる日付である。左右ボタン（２１３、２１５）を押すと、絞り込んでいる日付の中で一つ前あるいは後の画像が画像表示領域３０２に表示される。
【００４２】
また、絞り込み状態で図４（ａ）のような編集メニューを表示させると、編集メニューの項目には日付絞り込みの代わりに日付絞り込み解除の項目が追加される。ユーザは、絞り込み解除を選択してＳＥＴボタン２１６を押すと、絞り込み状態が解除され通常表示モードとなる。
【００４３】
絞り込み状態において、ＤＩＳＰボタン２０５を押して画像印刷領域を切り替えたり、戻るボタン２１８を押して設定を解除する場合は、既に画像印刷領域に割り当てられている画像または割り当てが鋳除される画像が画像表示領域３０２に表示される。このとき、表示しようとする画像が現在の絞り込み条件を満たしていない時は、絞り込みを自動的に解除して通常表示モードにして、画像を表示する。また、絞り込みを解除した時には、図５（ｂ）のように”絞り込みを解除しました”と絞り込みの解除が行われたメッセージ７０１が表示される。一方、表示しようとする画像が、絞り込み条件を満たすときは、図５（ｃ）のように、絞り込みは解除せずに、絞り込みモードのまま画像を表示する。
【００４４】
図６は本発明による印刷装置のマルチレイアウトの設定を行う処理の流れを示すフローチャートである。これらの処理は、ＣＰＵ（不図示）の制御のもとで行われる。ＣＰＵは、不図示のプログラムメモリから読み出したプログラムに基づいてこれらの処理を実行する。
【００４５】
電源ボタン２０２を押すと本印刷装置は起動し、ＩＯ制御部１０３がメモリカード１０２の内容を捜査する。そして、表示画像選択部１０７が、メモリカード１０２に記憶されている複数の画像データから画像リストを作成して各画像に画像ＩＤを割り当てて画像の管理を行う。画像リストは画像データの作成された順にソートされ古い順に若いＩＤを割り当てられる。印刷装置の起動時には、日付の新しい最新の画像をＬＣＤ２０７に表示する。
【００４６】
ＬＣＤ２０７に画像が表示された状態でＣＲＥＡＴＩＶＥボタン２０３を押すと、ＬＣＤ２０７にレイアウト選択画面（非図示）が表示される。
ステップ６０１では、レイアウト選択画面（不図示）において、ＬＣＤ２０７に表示されたレイアウトパターン一覧から所望のレイアウトを選択する。レイアウト選択画面では、レイアウト選択部に保持されているレイアウトパターンが一覧表示される。レイアウトパターン一覧表示のうちの一つにフォーカス枠が表示されているので、ユーザは上下左右ボタン（２１２〜２１５）を押してフォーカス枠を移動させる。所望のレイアウトにフォーカス枠が表示されている時にＳＥＴボタン２１６を押すとそのレイアウトが選択できる。レイアウト選択画面にてＳＥＴボタン２１６を押すとレイアウトの確定と共に次のステップへ進み、図３（ａ）に示すようなマルチレイアウト設定画面が表示制御手段により作成され、ＬＣＤ２０７に表示される。
【００４７】
ステップ６０２では、画像選択画面のシングル表示もしくはマルチ表示を行う。
ステップ６０３において押されたキーが画像送り（戻し）指示に対応しているボタンである右ボタン２１３または左ボタン２１３であるかどうかを判定する。押されたキーが右ボタン２１３または左ボタン２１３であるときは、画像送り（戻し）の指示なので、ステップ６０４に進み、画像送りの処理をおこなう。押されたキーが右ボタン２１３または左ボタン２１３でなければステップ６０５に進む。
【００４８】
ステップ６０５において押されたキーが画像印刷領域選択指示に対応しているＤＩＳＰボタン２０５であるかどうかを判定する。押されたキーがＤＩＳＰボタン２０５でのときは、画像印刷領域選択の指示なので、ステップ６０６に進み、画像印刷領域選択の処理をおこなう。処理の詳細については後述する。押されたキーがＤＩＳＰボタン２０５でなければステップ６０７に進む。
【００４９】
ステップ６０７において押されたキーが、画像選択解除に対応している戻るボタン２１８であるかどうかを判定する。押されたキーが戻るボタン２１８のときは、画像選択解除の指示なので、ステップに６０８進む。
ステップ６０８において少なくとも一つの画像印刷領域が割当済みであれば、画像選択解除の処理を行う。処理の詳細については後述する。
選択領域のいずれも割当済みでなければ、ステップ６０１に戻る。
【００５０】
一方、押されたキーが戻るボタン２１８でなければステップ６１０に進む。
ステップ６１０においてユーザが日付絞り込みを指示したか判定する。日付絞り込み指示の場合、ステップ６１１に進み、図４（ｃ）のように日付選択を行い、日付が選択されたらステップ６１２に進み、選択された日付の画像のみを表示する日付絞り込みを実行する。日付絞り込み指示でなければステップ６１３に進む。
【００５１】
ステップ６１３において押されたキーが画像選択指示に対応しているＳＥＴボタン２１６であるかどうかを判定する。押されたキーがＳＥＴボタン２１６のときは、画像選択の指示なので、ステップ６１４に進む。ステップ６１４では、現在、画像表示領域３０２に表示されている画像を、現在選択されている画像印刷領域に印刷対象の画像として割り当て、選択された画像の画像ＩＤと画像印刷領域と関連づけて印刷画像選択部に保持する画像選択の処理をおこなう。押されたキーがＳＥＴボタン２１６でなければキー入力待ち状態に戻ることになる。
【００５２】
画像選択後、ステップ６１５において全ての画像印刷領域が割当済みかどうかを判定する。全ての画像印刷領域が割当済みであれば、このマルチレイアウト設定画面でのレイアウト設定処理は終了して次の印刷確認画面（非図示）に進む。
割当済みでなければ、キー入力待ち状態に戻ることになる。
【００５３】
図７は画像印刷領域選択処理の流れを示すフローチャートである。
図６のステップ６０５においてユーザの操作が領域選択であると判定された場合にはステップ６０６の画像印刷領域選択処理に進むが、その画像印刷領域選択処理の詳細が図７のフローチャートとなる。
ステップ７０１において現在選択されている画像印刷領域がどこであるかの情報を領域選択部１１４から取得する。
【００５４】
ステップ７０２において、選択中の印刷レイアウトデータの画像印刷領域ＩＤを次の画像印刷領域のＩＤに変更する。ステップ７０１において取得した画像印刷領域に１を加算したものが次の画像印刷領域となるが、次の画像印刷領域の番号が、印刷レイアウトデータのレイアウト内の画像印刷領域数よりも大きければ、次の画像印刷領域の番号は１になる。これはレイアウト内の画像印刷領域の最後まで選択が進んだら次はまた最初の画像印刷領域に戻ることを意味する。
【００５５】
選択されている画像印刷領域が変更されると、次にステップ７０３において、新しく選択された画像印刷領域に割り当てられている画像があるかを判断する。
新しく選択された画像印刷領域に割り当てられている画像があると判断された場合は、ステップ７０４で、画像印刷領域に割り当てられている画像の画像ＩＤを印刷画像選択部１１３から取得する。
【００５６】
選択画像印刷領域の画像ＩＤを取得後、ステップ７０５において、現在日付絞り込み中であるかどうかを判定する。現在絞り込み中でなければステップ７０８に進み、絞り込み中であればステップ７０６に進む。
【００５７】
絞り込み中の場合、ステップ７０６において、ステップ７０２で新しく選択された画像印刷領域に割り当てられた画像が現在の絞り込条件を満たすかどうかを判定する。条件を満たす場合はステップ７０８に進み、条件を満たさない場合はステップ７０７において絞り込みを解除する。
【００５８】
その後ステップ７０８において、選択中の画像印刷領域に割り当てられた画像を表示し、選択中の画像印刷領域を示すカーソル３０８もステップ７０２で取得したＩＤの画像印刷領域に移動して表示する。
【００５９】
新しく選択された画像印刷領域に割り当てられている画像がないと判断された場合は、Ｓ６０４〜Ｓ６０８の処理はスキップされ、画像表示領域に表示する画像は変更しない。
【００６０】
また、Ｓ７０７で自動的に絞り込みを解除した場合は、Ｓ７０８において新しく選択された画像印刷領域に割り当てられている画像を表示すると共に、画像の絞り込みが自動的に解除されたことを表示するとよい。
【００６１】
ステップ７０８までの処理が終了したらステップ７０９において画像印刷領域選択処理は終了し、呼び出し元に戻る。呼び出し元は図６のステップ６０６であるので、キー入力待ち状態に戻ることになる。
【００６２】
図８は画像選択解除処理の流れを示すフローチャートである。
図６のステップ６０８において少なくとも一つの画像印刷領域が割当済みであると判定された場合にはステップ６０９の画像選択解除処理に進むが、その画像印刷領域選択処理の詳細が図８のフローチャートとなる。
ステップ８０１において現在選択されている画像印刷領域がどこであるかの情報を領域選択部１１４から取得する。
【００６３】
ステップ８０２において、現在の画像印刷領域に対して前の画像印刷領域のＩＤを取得し、１つ前の画像印刷領域を選択する。ここでは、ステップ８０１において取得した画像印刷領域に１を減算したものが前の画像印刷領域となるが、現在の画像印刷領域の番号が１であれば、次の画像印刷領域の番号はレイアウト内の最後の画像印刷領域の番号になる。次に、ステップ８０３において、ステップ８０２で取得した画像選択領域が既に画像割当済みかどうかを判定する。画像割当済みの画像印刷領域が見つかるまでステップ８０２，８７０３の処理を行い、画像割当済みの画像印刷領域がない場合は、本処理を終了し、呼び出し元は図６のステップ６０９に戻る。
割当済みであれば、ステップ８０４に進むが、割当済みでなければステップ８０２に戻る。
ステップ８０４で、画像印刷領域に割り当てられている画像の画像ＩＤを印刷画像選択部１１３から取得する。
【００６４】
その後、ステップ８０５において、ステップ８０２で取得した画像選択領域へのステップ８０４で取得した画像ＩＤの印刷設定の解除を行い、印刷画像選択部１１３のデータを更新する。
ステップ８０６において、現在日付絞り込み中であるかどうかを判定する。
現在絞り込み中でなければステップ８０９に進み、絞り込み中であればステップ８０７に進む。
【００６５】
絞り込み中の場合、ステップ８０７において、ステップ８０２で新しく選択された画像印刷領域に割り当てられた画像が現在の絞り込条件を満たすかどうかを判定する。条件を満たす場合はステップ８０９に進み、条件を満たさない場合はステップ８０８において絞り込みを自動的に解除する。
その後ステップ８１０において、選択画像印刷領域に割り当てられた画像を表示し、ステップＳ８０２で取得した画像印刷領域にカーソル３０８を移動して表示する。
【００６６】
ステップ８０９までの処理が終了したらステップ８１０において画像印刷領域選択処理は終了し、呼び出し元に戻る。呼び出し元は図６のステップ６０９であるので、キー入力待ち状態に戻ることになる。
Ｓ８０８で自動的に絞り込みを解除した場合は、Ｓ８０９において新しく選択された画像印刷領域に割り当てられている画像を表示すると共に、画像の絞り込みが自動的に解除されたことを表示するとよい。
【００６７】
以上、本発明の好ましい実施形態について説明したが、本発明はこれらの実施形態に限定されず、その要旨の範囲内で種々の変形及び変更が可能である。
【００６８】
上述の実施例では、本発明の表示制御装置の一例として、印刷装置で説明したが、デジタルカメラ、ビデオカメラ等の撮像装置、パーソナルコンピュータ、ＰＤＡ、ＤＶＤプレイヤー等に適応しても良い。記録媒体に記録されている画像を表示する、または、画像を選択可能である機器であれば、本発明を実現可能である。
【００６９】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００７０】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００７１】
プログラムを供給するための記録媒体としては、例えば、ハードディスク、磁気テープ等の磁気記録媒体、光／光磁気記憶媒体、不揮発性の半導体メモリでもよい。
【図１】
2011039935.tif 000003
【図２】
2011039935.tif 000004
【図３】
2011039935.tif 000005
【図４】
2011039935.tif 000006
【図５】
2011039935.tif 000007
【図６】
2011039935.tif 000008
【図７】
2011039935.tif 000009
【図８】
2011039935.tif 000010